(57)【要約】【課題】複数のモードを切替えて用いる場合の操作性を高めることのできる生体値測定装置を提供する。【解決手段】第２モードを起動する際に、すでに起動していた第１モードで用いられた被測定者の情報である個人情報を特定するＩＤが設定されている場合（Ｓ２０１で「ＩＤあり」）、修正の指示がない場合には（Ｓ２１５で「押されない」）、そのＩＤを第１モードから引継いで第２モードでも用いる（Ｓ２１９）。修正が指示された場合には（Ｓ２１５で「押された」）、第１モードで用いられた個人情報を提示して修正を受付け（Ｓ２１７，Ｓ２０９）、修正後の個人情報を第２モードで用いる（Ｓ２１９）。【選択図】図８
2008012162.tif 000002
【特許請求の範囲】
【請求項１】
操作者からの操作入力を受付ける操作手段と、
被測定者の生体値を測定する測定手段と、
前記被測定者に関する情報である個人情報を記憶する第１記憶手段と、
前記測定手段での測定値を、前記個人情報と関連付けて記憶する第２記憶手段と、
前記測定値を表示するための信号を生成する生成手段と、
起動したモードに関する情報を記憶するモード記憶手段と、
前記測定手段および前記生成手段を制御する制御手段とを備え、
前記操作手段は、起動するモードを選択する操作を受付け、
前記制御手段は、
前記操作手段で第２モードが選択された際に、前記モード記憶手段に第１モードに関する情報が記憶されているか否かを判断する判断処理と、
前記判断処理の結果、前記第１モードに関する情報が記憶されていると判断された場合に、前記モード記憶手段より前記第１モードにおいて設定された前記個人情報を特定するＩＤを読出す読出処理と、
前記ＩＤを前記第２モードにおいて設定される個人情報を特定するＩＤとして前記モード記憶手段に格納する格納処理とを実行する、生体値測定装置。
【請求項２】
前記モード記憶手段は、起動しているモードに関する情報を記憶し、
前記制御手段は、前記判断処理において前記第１モードが起動しているときに前記第２モードが選択されたと判断された場合に、前記読出処理において前記モード記憶手段より前記第１モードに関する情報である前記ＩＤを読出す、請求項１に記載の生体値測定装置。
【請求項３】
前記個人情報は、第１情報と第２情報とを含み、
前記個人情報の前記第１情報および前記第２情報についての優先度を記憶する優先度記憶手段をさらに備え、
前記制御手段は、前記読出処理において、前記優先度に応じて前記第１記憶手段より前記第１情報および／または前記第２情報を読出す、請求項１に記載の生体値測定装置。
【請求項４】
前記優先度は前記第２モードに応じて定められる、請求項３に記載の生体値測定装置。
【請求項５】
前記制御手段は、
前記読出処理で読出した前記ＩＤで特定される前記個人情報を提示する画面を表示する表示処理と、
前記操作手段からの操作入力に応じて、前記個人情報の少なくとも一部を変更する変更処理とをさらに実行する、請求項１に記載の生体値測定装置。
【請求項６】
前記制御手段は、
前記操作手段からの特定の操作入力に応じて、前記読出処理で読出した前記ＩＤで特定される前記個人情報を変更するための画面を表示する表示処理と、
前記画面に従った入力に基づいて前記個人情報の少なくとも一部を変更する変更処理とをさらに実行する、請求項１に記載の生体値測定装置。
【請求項７】
前記ＩＤは、他の装置に含まれる前記個人情報を特定する、請求項１に記載の生体値測定装置。
【請求項８】
前記第１モードは、前記第２記憶手段によって前記ＩＤで特定される前記個人情報に関連付けて記憶された前記測定値を閲覧するモードであり、前記第２モードは前記被測定者の生体値を測定するモードである、請求項１に記載の生体値測定装置。
【請求項９】
コンピュータに生体値を用いた処理を実行させるプログラムであって、
起動するモードを選択する信号を入力するステップと、
前記起動するモードとして第２モードが選択された際に、前記コンピュータにおいて起動したモードに関する情報を記憶するモード記憶手段にアクセスし、前記モード記憶手段に第１モードに関する情報が記憶されているか否かを判断する判断ステップと、
前記判断ステップにおいて、前記第１モードに関する情報が記憶されていると判断された場合に、前記モード記憶手段より、前記第１モードにおいて設定された被測定者に関する情報である個人情報を特定するＩＤを読出すステップと、
前記ＩＤを前記第２モードにおいて設定される個人情報を特定するＩＤとして前記モード記憶手段に格納するステップとを実行させる、生体値測定プログラム。
【発明の詳細な説明】
【技術分野】
【０００１】
この発明は生体値測定装置および生体値測定プログラムに関し、特に、測定モードおよび測定値閲覧モード等の複数のモードを有する生体値測定装置および生体値測定プログラムに関する。
【背景技術】
【０００２】
脈波測定装置や血圧計などの生体値測定装置では、被測定者の年齢や性別などの個人情報が登録されて、シリアル番号などによって管理されていることがある。これらの個人情報は、脈波や血圧などの測定された生体値を用いて診断する際や、生体値を処理する際にパラメータとして用いられることがある。
【０００３】
生体値測定装置では、これらの個人情報は測定時に入力され、測定値と関連付けて記憶される。また、すでに個人情報が生体値測定装置に登録されている場合には、測定時や測定値の閲覧時などに該当する個人情報を特定するためのシリアル番号などが入力される。
【０００４】
個人情報の入力としては、特開２００５−３８２６５号公報（以下、特許文献１）が開示している、患者が持つＩＤカードを測定前に利用して被測定者の情報を入力する方法などがある。
【特許文献１】特開２００５−３８２６５号公報
【発明の開示】
【発明が解決しようとする課題】
【０００５】
ところで、このような生体値測定装置の１つの用いられ方として、測定値閲覧モードで被測定者の測定値を閲覧した上で、測定モードでその被測定者の生体値を測定する、などという用いられ方が挙げられる。つまり、同一の被測定者に関して、異なる第１モードおよび第２モードで連続して用いられる場合がある。この場合、第１モードで個人情報または個人情報を特定するシリアル番号等の入力を行なった後、第２モードに切替えて、再度同じデータを入力する必要があり、操作が煩雑であるという問題がある。このような煩雑な操作は迅速な測定の妨げとなり、たとえば集団検診や大学病院での診察など被測定者が多い場合に、診察が滞るという問題につながる。また、煩雑な操作は誤入力を招きやすい。
【０００６】
また、特許文献１に開示されているような方法では、カード等の記録媒体の読出し装置を用意したり、生体値測定装置に記録媒体の読出し機能を搭載する必要があるという問題がある。また、被測定者がカードを紛失すると入力ができなくなるなどの問題もあった。
【０００７】
本発明はこのような問題に鑑みてなされたものであって、複数のモードを切替えて用いる場合の操作性を高めることのできる生体値測定装置および生体値測定プログラムを提供することを目的とする。
【課題を解決するための手段】
【０００８】
上記目的を達成するために、本発明のある局面に従うと、生体値測定装置は、操作者からの操作入力を受付ける操作手段と、被測定者の生体値を測定する測定手段と、被測定者に関する情報である個人情報を記憶する第１記憶手段と、測定手段での測定値を、個人情報と関連付けて記憶する第２記憶手段と、測定値を表示するための信号を生成する生成手段と、起動したモードに関する情報を記憶するモード記憶手段と、測定手段および生成手段を制御する制御手段とを備え、操作手段は、起動するモードを選択する操作を受付け、制御手段は、操作手段で第２モードが選択された際に、モード記憶手段に第１モードに関する情報が記憶されているか否かを判断する判断処理と、判断処理の結果、第１モードに関する情報が記憶されていると判断された場合に、モード記憶手段より第１モードにおいて設定された個人情報を特定するＩＤを読出す読出処理と、読出されたＩＤを第２モードにおいて設定される個人情報を特定するＩＤとしてモード記憶手段に格納する格納処理とを実行する。
【０００９】
さらに、モード記憶手段は、起動しているモードに関する情報を記憶し、制御手段は、判断処理において第１モードが起動しているときに第２モードが選択されたと判断された場合に、読出処理においてモード記憶手段より第１モードに関する情報であるＩＤを読出すことが好ましい。
【００１０】
また、個人情報は、第１情報と第２情報とを含むものであり、生体値測定装置は個人情報の第１情報および第２情報についての優先度を記憶する優先度記憶手段をさらに備え、制御手段は、読出処理において、優先度に応じて第１記憶手段より第１情報および／または第２情報を読出すことが好ましい。なお、上記優先度は起動する第２モードに応じて定められるものであることがより好ましい。
【００１１】
さらに、制御手段は、読出処理で読出したＩＤで特定される個人情報を提示する画面を表示する表示処理と、操作手段からの操作入力に応じて、提示された個人情報の少なくとも一部を変更する変更処理とをさらに実行することが好ましい。
【００１２】
または、制御手段は、操作手段からの特定の操作入力に応じて、読出処理で読出したＩＤで特定される個人情報を変更するための画面を表示する表示処理と、上記画面に従った入力に基づいてその個人情報の少なくとも一部を変更する変更処理とをさらに実行することが好ましい。
【００１３】
また、ＩＤは、他の装置に含まれる個人情報を特定するものであることが好ましい。他の装置とは、たとえば電子カルテ等の医療情報を記憶したサーバなどの記憶装置が挙げられる。
【００１４】
また、具体的には、上記第１モードは、第２記憶手段によってＩＤで特定される個人情報に関連付けて記憶された測定値を閲覧するモードであり、上記第２モードは被測定者の生体値を測定するモードであることが好ましい。
【００１５】
本発明の他の局面に従うと、生体値測定プログラムは、コンピュータに生体値を用いた処理を実行させるプログラムであって、起動するモードを選択する信号を入力するステップと、起動するモードとして第２モードが選択された際に、コンピュータにおいて起動したモードに関する情報を記憶するモード記憶手段にアクセスし、モード記憶手段に第１モードに関する情報が記憶されているか否かを判断する判断ステップと、判断ステップにおいて、第１モードに関する情報が記憶されていると判断された場合に、モード記憶手段より、第１モードにおいて設定された被測定者に関する情報である個人情報を特定するＩＤを読出すステップと、読出されたＩＤを第２モードにおいて設定される個人情報を特定するＩＤとしてモード記憶手段に格納するステップとを実行させる。
【発明の効果】
【００１６】
本発明にかかる生体値測定装置が上記構成を備えることによって、複数のモードを切替えて用いる場合に、先のモードで入力されたデータの少なくとも一部を引継ぎ、次のモードにおいてデータ入力を簡略化することができる。それによって、生体値測定装置の操作性が高まり、誤入力を防止することができる。
【発明を実施するための最良の形態】
【００１７】
以下に、図面を参照しつつ、本発明の実施の形態について説明する。以下の説明では、同一の部品および構成要素には同一の符号を付してある。それらの名称および機能も同じである。
【００１８】
本実施の形態においては、本発明にかかる生体値測定装置の一例として、脈波検出装置を用いて説明するが、本発明にかかる生体値測定装置は脈波検出装置に限定されず、血圧計や、体組成計や、視力、聴力、握力、背筋力、肺活量等の身体機能力の測定装置や、歩数計などの運動量測定計や、これらのうちの２以上の機能が組合された装置など、その他の生体値を測定するいかなる装置であってもよい。
【００１９】
図１は、本実施の形態に係る脈波検出装置の機能構成の具体例を示す図である。また、図２は、センサユニットと固定台との接続関係の具体例を示す図である。また、図３は、脈波検出装置を生体に装着した状態の具体例を示す図である。
【００２０】
図２および図３を参照して、脈波検出装置は手首の動脈における脈波を検出するために手首表面に装着されるセンサユニット１、脈波検出のために手首を固定するための固定台２および脈波検出のための演算を含む各種処理を実行するためのＰＣ（Personal Computer）ユニット３（図示せず）を備える。図２ではセンサユニット１は筐体内に収容されており、図３ではスライド溝９（図２参照）を介して筐体内から外部にスライド移動されて、手首上に位置している状態が示される。
【００２１】
固定台２は固定台ユニット７を内蔵しており、固定台ユニット７とＰＣユニット３とはＵＳＢ（Universal Serial Bus）ケーブル４を介して通信可能に接続される。また、固定台ユニット７とセンサユニット１とは通信ケーブル５とエア管６とを介して接続される。
【００２２】
脈波検出時には、図３に示すように、ユーザは手首を固定台２の所定位置に載置した状態で、センサユニット１をスライド移動により手首の動脈側の表面に位置させてセンサユニット１の筐体と固定台２とをベルト８を介して締めて、手首上のセンサユニット１がずれないように止める。
【００２３】
図１を参照して、センサユニット１は、複数個のＬＥＤ（Light Emitting Diode）が並列して構成されて、手首装着時にその発光状態が外部から視認可能なように設けられるＬＥＤ部１０、脈圧を検出するための複数個のダイアフラムと抵抗ブリッジ回路とからなる圧力センサが単結晶シリコンなどからなる半導体チップの押圧面に一方向に配列されて成る圧力センサアレイ１１、圧力センサアレイ１１中の複数の圧力センサそれぞれが出力する電圧信号を選択的に導出するマルチプレクサ１２、および圧力センサアレイ１１を手首上に押圧させるために加圧調整される空気袋を含む押圧カフ１３を有する。
【００２４】
ＬＥＤ部１０は後述するようにセンサユニット１のスライド方向を案内するための情報（動脈の位置または腱などの固形物の位置）を発光によりユーザに報知するために設けられる。したがって、これら情報を報知するための媒体としては、ＬＥＤに限定されずＬＣＤ（Liquid Crystal Display）であってもよい。
【００２５】
なお、その他のセンサユニット１の構成としては公知の構成が採用され得、本実施の形態にかかる脈波検出装置においては特定の構成に限定されない。
【００２６】
固定台ユニット７は、押圧カフ（空気袋）１３の内圧（以下、カフ圧という）を加圧するための加圧ポンプ１４および減圧するための負圧ポンプ１５、加圧ポンプ１４および負圧ポンプ１５のいずれかを選択的にエア管６に切替接続するための切替弁１６、これらを制御するための制御回路１７、ＵＳＢケーブル４が接続される通信回路１８、およびセンサユニット１から導出された出力信号をデジタルデータに変換するためのＡ／Ｄ（Analog/Digital）コンバータ１９を有する。
【００２７】
ＰＣユニット３は脈波検出装置を集中的に制御するために演算を含む各種処理を実行するＣＰＵ（Central Processing Unit）２０、脈波検出装置を制御するためのデータおよびプログラムを記憶するＲＯＭ（Read Only Memory）２１およびＲＡＭ（Random Access Memory）２２、外部から操作可能に設けられて各種情報を入力するために操作される操作部２３、脈波検出結果などの各種情報を外部出力するためにＬＣＤなどからなる表示器２４、有線または無線のネットワークを介して脈波検出結果などの各種情報を外部装置に出力するための通信部２５、およびＣＰＵ２０にＵＳＢケーブル４を接続するＩ／Ｆ（インタフェース）２６を有する。ＣＰＵ２０が上記データを適宜参照しながらプログラムを読出し実行することで進行する脈波検出処理については公知の処理が採用され得、本実施の形態にかかる脈波検出装置においては特定の処理に限定されない。
【００２８】
なお、ここでは固定台２の固定台ユニット７とＰＣユニット３とは別個に設けられているが、両機能を固定台２に内蔵する構成であってもよい。また、固定台ユニット７にもＣＰＵが含まれて、固定台ユニット７のＣＰＵにおいて脈波検出装置を集中的に制御するために演算を含む各種処理が実行され、ＰＣユニット３のＣＰＵ２では、その処理結果を表示器２４に表示する処理や、固定台ユニット７のＣＰＵに操作部２３の操作を伝送する処理などが実行されてもよい。
【００２９】
また、通信部２５が通信を行なう上記外部装置としては、たとえば電子カルテ等の医療情報を記憶したサーバなどの記憶装置が該当する。
【００３０】
本実施の形態にかかる脈波検出装置は、ＣＰＵ２０がプログラムを読出して実行することによって、操作部２３による操作に従って、各モードでの処理が実行される。ここで「モード」とは、１人の被測定者に対する、メモリ呼出の一連の処理や測定の一連の処理等を行なう（または行なっている）状態を指すものとする。
【００３１】
図４は、本実施の形態に係る脈波検出装置での状態遷移を説明する図である。図４を参照して、本実施の形態に係る脈波検出装置のモードには、測定モード、メモリ呼出モード、個人情報管理モード、および通信モードが含まれる。あるモードにおいて処理がされているところに操作部２３による操作を受付けることで、他のいずれのモードの処理を開始することも可能である。あるモードの処理の後、操作部２３による操作に従って続いて他のモードの処理を開始することを、「モードの切替え」と言うものとする。なお、メモリ呼出等、同じ種類の一連の処理であっても、連続して異なる被測定者に対して上記一連の処理がなされる場合には、異なるモードであるものとする。つまり、被測定者Ａについて測定を行なっている測定モードと、被測定者Ｂについて測定を行なっている測定モードとは、連続して行なわれても異なるモードであるものとし、被測定者Ａの測定と被測定者Ｂの測定とが連続して行なわれる場合、「モードの切替え」がなされている。
【００３２】
測定モードは、被測定者の生体値を測定する一連の処理を行なう状態を指す。本実施の形態に係る脈波検出装置において、測定モードには、脈波を検出することによる脈波の反射強度を反映する特徴量であるＡＩの測定、血圧測定、および体組成測定が含まれるものとする。ある生体値の測定が行なわれているところに操作部２３による操作を受付けることで、他のいずれの生体値の測定を開始することも可能である。測定モードにおいて、ある生体値の測定の後、操作部２３による操作に従って続いて他の生体値の測定を開始することを、「測定の切替え」と言うものとする。
【００３３】
メモリ呼出モードは、被測定者の測定結果等のメモリを呼出して処理するための一連の処理を行なう状態を指す。メモリ呼出モードにおいては、被測定者の測定結果等のメモリを呼出して処理を行なうことで、記憶されている全データをリスト表示する画面、個人別にデータをリスト表示する画面、そのうちの特定の被測定者についての測定値の傾向を表わすトレンドグラフを表示する画面および、さらにその詳細を表示する画面が表示器２４に表示される。これらの画面は操作部２３による操作で上述の順に表示させることが可能である。メモリ呼出モードにおいて操作部２３による操作に従って続いて上述の順に画面表示を変化させることを「表示の切替え」と言うものとする。
【００３４】
通信モードは、被測定者の測定結果等のデータを指定された外部装置に送信する、または外部装置からデータを受信するための一連の処理を行なう状態を指す。個人情報管理モードは、所定の記憶領域に記憶される後述する個人情報の修正や変更等の管理を行なうための一連の処理を行なう状態を指す。
【００３５】
測定モードで被測定者の生体値を測定する際やメモリ呼出モードで測定値やトレンドグラフ等を表示させる際、被測定者を特定する情報や演算に用いるための被測定者に関する情報が必要となる。これらの情報を「個人情報」と言うものとする。
【００３６】
測定モードにおいて脈波を測定する場合には、少なくとも、被測定者の年齢、および性別が必要となる。また、体組成を測定する場合には、少なくとも、被測定者の年齢、身長、および性別が必要となる。予めこれらの情報が記憶されていない場合には、測定にあたって、または個人情報管理モードで入力する。すでに個人情報として記憶されている場合には、測定にあたって、少なくとも上記情報が含まれる個人情報を呼出す。
【００３７】
入力された個人情報および測定で得られたデータは、ＲＡＭ２２等の所定の記憶領域に記憶される。または、通信部２５が電子カルテ等の医療情報を記憶したサーバなどの外部装置と通信を行なう場合には、個人情報が測定値は上記外部装置に記憶されていてもよい。図５は、記憶される個人情報の具体例（図５（Ａ））および測定値の具体例（図５（Ｂ））を示す図である。図５（Ａ）を参照して、個人情報は、一例として、被測定者の氏名や生年月日や性別と共に、個人情報を特定するための情報として一意に割振られるＩＤを含む。その他の情報として、個人情報には、被測定者の既往症、家族構成、および職業などが含まれ得る。また、図５（Ｂ）を参照して、測定値は、一例として、血圧値や脈拍やＡＩ値等と共に、対応する個人情報を特定するＩＤを含む。上記ＩＤによって個人情報の記憶される記憶領域および／または測定値が記憶される記憶領域が特定される。個人情報や測定値が外部装置に記憶されている場合であっても、上記ＩＤによって上記外部装置上の記憶領域が特定される。なお、測定値と個人情報との関連付けは、本具体例のようなＩＤを用いる方法の他、いかなる方法であってもよい。
【００３８】
メモリ呼出モードで、全データをリスト表示させ、その中から特定の被測定者に関する個人別データをリスト表示する画面を表示させる場合には、少なくとも閲覧対象の被測定者の個人情報を特定するＩＤを入力することで、対応付けられている測定値が呼出され、表示される。
【００３９】
図６は、本実施の形態に係る脈波検出装置において、モード間での個人情報の引継ぎに関する処理を実行するための機能構成の具体例を示すブロック図である。図６に示される機能は、ＣＰＵ２０がプログラムを読出して実行することで主にＣＰＵ２０に形成されるものであるが、少なくとも一部が図１に示されるハードウェアによって形成されてもよい。
【００４０】
図６を参照して、本実施の形態に係る脈波検出装置は、モード選択部１０１、モード切替部１０３、モード記憶部１０５、判断部１０７、個人情報読出部１０９、個人情報提示部１１１、個人情報入力部１１３、および個人情報決定部１１５を含んで構成される。
【００４１】
モード選択部１０１は操作部２３からの操作信号を受取って起動するモードを選択し、その結果をモード切替部１０３に伝達するための信号を生成してモード切替部１０３に入力する。モード切替部１０３は上記信号に従って、選択されたモードを起動するための制御信号を生成して出力する。また、起動するモードの情報をモード記憶部１０５に記憶する。
【００４２】
モード記憶部１０５は、現在起動しているモードと、そのモードで入力または特定された個人情報を特定するＩＤとを記憶する。なお、モード記憶部１０５に記憶される情報は、現在起動しているモードに関する情報に限定されず、起動後または終了後所定時間が経過するまでのそのモードに関する情報であってもよい。また、以下の処理によって、次の第２モードが起動した場合には先に起動していた第１モードに関する情報に上書きして第２モードに関する情報が記憶されてもよいし、第２モードに関する情報と共に、所定時間が経過するまで第１モードに関する情報が記憶されていてもよい。
【００４３】
判断部１０７は、モード記憶部１０５に記憶されている情報を監視し、モード切替部１０３によって起動するモードが入力される際に、すでに起動しているモードに関する情報が記憶されているかいないか、つまり、新たにモードを起動するのか、現在起動している第１モードから第２モードにモードが切替えられるのかを判断し、その判断に基づいた制御信号を生成して個人情報読出部１０９または個人情報入力部１１３に入力する。なお、ここでの判断は、現在起動している第１モードから第２モードに切替えることの判断に限定されず、第２モードの起動が第１モードの起動または第１モードの終了から所定時間内であるか否かの判断であってもよい。
【００４４】
個人情報読出部１０９は、判断部１０７からの制御信号に従って、先に起動していた上記第１モードで設定された個人情報を特定するＩＤをモード記憶部１０５から読出し、そのＩＤで特定される個人情報を上記所定の記憶領域より読込んで個人情報提示部１１１に入力する。個人情報提示部１１１は、読出されたＩＤによって特定される個人情報を修正するための手段（たとえば「修正」ボタン等）を提示する画面を表示器２４に表示させるための信号を生成して出力する。または、読出されたＩＤによって特定される個人情報を提示する提示画面を表示器２４に表示させるための信号を生成して出力する。また、個人情報入力部１１３は、個人情報の入力を受付ける入力画面、または個人情報の修正を受付ける修正画面を表示器２４に表示させるための信号を生成して出力する。そして、個人情報入力部１１３は、上記画面に従った操作部２３からの操作信号を受取り、個人情報を入力する。
【００４５】
個人情報決定部１１５は操作部２３からの操作信号を受取り、提示された個人情報または入力された個人情報を決定する。そして、決定された個人情報をモード記憶部１０５に記憶する。
【００４６】
図７は、本実施の形態に係る脈波検出装置における、モード間での個人情報の引継ぎに関する処理の流れを示すフローチャートである。図７のフローチャートに示される処理はＣＰＵ２０がプログラムを読出して図６の各部を制御することで実行される。
【００４７】
図７を参照して、始めに、モード選択部１０１において、操作部２３からの操作信号を受取って、モードの選択を受付ける（ステップＳ１０１）。ステップＳ１０１で選択されたモードが現在起動中の第１モードから新たな第２モードへの切替えであると判断部１０７において判断されると（ステップＳ１０３でＹＥＳ）、個人情報読出部１０９は第１モードで入力された個人情報を特定するＩＤをモード記憶部１０５から読出し、所定の記憶領域より対応する個人情報を読込む（ステップＳ１０５）。個人情報提示部１１１はステップＳ１０５で読込まれた個人情報を提示する提示画面を表示器２４に表示させるための信号を生成し、提示する（ステップＳ１０７）。上記提示画面においては、提示された個人情報の変更を受付けることができる。なお、上記ステップＳ１０７で個人情報提示部１１１は、操作部２３から特定の操作（たとえば図示しないメニューボタンの操作等）にかかる操作信号を受取って上記提示画面を提示し、個人情報の変更を受付けてもよい。上記提示画面に提示された個人情報を変更する場合には（ステップＳ１０９でＹＥＳ）、個人情報入力部１１３は操作部２３からの操作信号を受取って、該当する個人情報を入力する（ステップＳ１１１）。
【００４８】
一方、ステップＳ１０１で選択されたモードが現在起動中の第１モードから新たな第２モードへの切替えではないと判断部１０７において判断されると、つまり、新しく第１モードを起動させると判断されると（ステップＳ１０３でＮＯ）、個人情報入力部１１３は、個人情報の入力を受付ける入力画面を表示器２４に表示させるための信号を生成して表示し、操作部２３からの操作信号を受取って個人情報を入力する（ステップＳ１１１）。
【００４９】
そして、個人情報決定部１１５において、操作部２３からの操作信号を受取って上記提示画面に提示されている個人情報、または上記提示画面において変更された個人情報が決定されると、もしくは、上記入力画面で入力された個人情報が決定されると、決定された個人情報を特定するＩＤがステップＳ１０１で選択されたモードと共に、現在起動しているモードに関する情報としてモード記憶部１０５に記憶される（ステップＳ１１３）。
【００５０】
上記処理について、具体例として、図８に測定モードを起動する場合についてのフローチャートを挙げ、図９，１０に表示器２４に表示される画面の具体例を挙げて説明する。
【００５１】
図８を参照して、測定モードが開始されると、始めに判断部１０７はモード記憶部１０５を参照して、すでに起動されているモードにおいて設定されている個人情報を特定するＩＤがあるか否かを判断し（ステップＳ２０１）、ない場合、つまり起動する測定モードが第１モードから第２モードへの切替えではない場合には（ステップＳ２０１で「ＩＤなし」）、個人情報入力部１１３は、図示しない測定モードの当初画面において個人情報を特定するＩＤを入力させるための「ＩＤ入力ボタン」を表示させる（ステップＳ２０３）。上記「ＩＤ入力ボタン」が押されたことが検出されると（ステップＳ２０５で「押された」）、個人情報入力部１１３は図９に示される入力画面を表示し、個人情報を特定するＩＤの入力を受付ける（ステップＳ２０７）。図９の画面においてＩＤが入力されると、個人情報入力部１１３は、さらに図１０に示される入力画面を表示させて対応する個人情報の入力を受付ける。個人情報の入力の完了を指示する「確定」ボタンが押されたことが検出されると、個人情報決定部１１５は起動する測定モードで設定される個人情報を特定するＩＤがあるものとしてそのＩＤをモード記憶部１０５に記憶する（ステップＳ２０９）。
【００５２】
一方、判断部１０７において、すでに起動されているモードにおいて設定されている個人情報を特定するＩＤがモード記憶部１０５に記憶されていると判断された場合、つまり起動する測定モードが第１モードから第２モードへの切替えである場合には（ステップＳ２０１で「ＩＤあり」）、個人情報提示部１１１は図示しないメニュー画面等で、読出された第１モードで設定された個人情報の修正を受付けるための「修正」ボタンを表示させる（ステップＳ２１３）。先に起動した第１モードには測定モードも含まれ、たとえば、先に起動した測定モードにおいて測定を中断した場合、再度測定モードで測定を行なう際にも上記ステップＳ２０１では第２モードへの切替えであると判断され、ステップＳ２１３では中断された先の測定モードで設定された個人情報をそのまま引継ぎ、修正を受付けるための「修正」ボタンを表示させる。
【００５３】
上記メニュー画面において「修正」ボタンが押されたことが検出されると（ステップＳ２１５で「押された」）、個人情報入力部１１３は修正を行なうための画面を表示し、その画面において個人情報の修正を受付ける（ステップＳ２１７）。または、個人情報提示部１１１は読出された第１モードで設定された個人情報を提示して修正を受付けるための提示画面を表示し、その画面において修正を受付けるための「修正」ボタンを表示させてもよい。この場合、上記提示画面において「修正」ボタンが押されたことが検出されると、個人情報入力部１１３は上記提示画面において個人情報の修正を受付ける。なお、このとき、ＩＤを修正することなく個人情報が修正された場合には当該ＩＤで特定される個人情報が修正される。ＩＤも修正された場合には、新しいＩＤで新規に個人情報が登録される。または、修正後のＩＤで特定される個人情報が修正される。そして、個人情報の入力の完了を指示する「確定」ボタンが押されたことが検出されると、個人情報決定部１１５は起動する測定モードで設定される個人情報を特定するＩＤがあるものとしてモード記憶部１０５に記憶する（ステップＳ２０９）。上記提示画面において「修正」ボタンが押されずに「確定」ボタンが押されたことが検出された場合や、所定時間内に「修正」ボタンが押されたことが検出されなかった場合には（ステップＳ２１５で「押されない」）、ステップＳ２１３で提示された、先に起動していた上記第１モードで設定された個人情報を引継いで測定モードを起動するものとして、個人情報決定部１１５は、その旨を表わす、たとえば「同じＩＤで測定します」等のメッセージを表示させ（ステップＳ２１９）、起動する測定モードで設定される個人情報を特定するＩＤがあるものとして第１モードで設定されていたＩＤをモード記憶部１０５に記憶する（ステップＳ２０９）。
【００５４】
なお、ここで「クリア」ボタンが押されたことが検出されると（ステップＳ２１１で「押された」）、処理が上記ステップＳ２０３に戻り、再度ＩＤの入力を受付ける。また、上記ステップＳ２０５において図示しない測定モードの当初画面において上記「ＩＤ入力ボタン」が押されずに他のボタンが押されたことが検出された場合や、所定時間内に「ＩＤ入力ボタン」が押されたことが検出されなかった場合も（ステップＳ２０５で「押されない」）、個人情報決定部１１５は起動する測定モードで設定される個人情報を特定するＩＤがないものとして（ステップＳ２２１）、同様に、処理がステップＳ２０３に戻り、再度ＩＤの入力を受付ける。または、上記入力画面または上記提示画面において「クリア」ボタンが押されずに「確定」ボタン以外の他のボタンが押されたことが検出された場合や、所定時間内に「クリア」ボタンが押されたことが検出されなかった場合には（ステップＳ２１１で「押されていない」）、処理が上記ステップＳ２１３に戻り、再度個人情報の修正を受付ける。
【００５５】
このようにして測定された測定値は、図５（Ｂ）に示されたように、設定された個人情報を対応付けて所定の記憶領域に格納される。
【００５６】
図１１は、メモリ呼出モードで表示される全データをリスト表示する画面の具体例を示す図である。図１１の一覧表示画面において特定のデータを選択することで閲覧対象の被測定者の個人情報が特定され、当該個人情報と対応付けられているデータが呼出されて図１２に示される個人別にデータをリスト表示する画面が表示される。さらに図１２の画面において、選択されたデータについての詳細表示を指示するためのボタンが押されたことが検出されると、図１３に示される詳細を示す画面が表示される。このとき、本実施の形態に係る脈波検出装置では当該個人情報が設定されてメモリ呼出モードが起動されており、モード記憶部１０５には、起動されているモードとしてメモリ呼出モード、および上記個人情報を特定するＩＤが記憶されている。
【００５７】
図１３の画面において測定を指示するためのボタンが押されたことが検出されると、図７のフローチャートに示された処理が開始し、メモリ呼出モードから測定モードに切替わって、ステップＳ１０７で上記ＩＤに特定される上記個人情報が予め入力されて提示される。
【００５８】
本実施の形態に係る脈波検出装置で上記処理が行なわれることで、起動するモードを切替える場合に個人情報を入力する操作を減らすことができ、操作性を高めることができる。また、誤操作、誤入力を防止することができる。特に、脈波検出装置等の生体値を測定する装置においては、上述のように個人情報を閲覧している状態でその被測定者についての生体値を再測定するようなメモリ呼出モードから測定モードに切替える使い方が多くなされる。そのような場合に、再度個人情報や個人情報を特定するＩＤの入力を要せずに素早く測定に切替えることができる。また、上述のように、簡単な操作で提示された個人情報の修正を行なうことが可能であるので、個人情報を修正する場合や統計の都合上異なるＩＤとする場合等の操作が容易になる。
【００５９】
［変形例］
図６を参照して、本実施の形態の変形例に係る脈波検出装置は、モード間での個人情報の引継ぎに関する処理を実行するための機能構成として、さらに優先度記憶部１１７を含み、個人情報に含まれる各情報について、個人情報読出部１０９が読出す優先度を記憶する。優先度記憶部１１７に記憶される優先度は、予め設定されていてもよいし、管理者や操作者等の使用者によって設定されてもよい。より好ましくは、起動させるモードによって設定されている。具体的には、起動させるモードがメモリ呼出モードである場合には測定値を記憶する記憶領域を特定するためのＩＤの優先度が最も高く、他の情報の優先度は特別に限定されない。また、起動させるモードが脈波を測定する測定モードである場合には、ＩＤ、被測定者の年齢、および性別の優先度がこの順に高く、その他の情報の優先度は特別に限定されない。また、起動させるモードが血圧を測定する測定モードである場合には、ＩＤの優先度が最も高く、他の情報の優先度は特別に限定されない。また、起動させるモードが体組成を測定する測定モードである場合には、ＩＤ、被測定者の年齢、身長、および性別の優先度がこの順に高く、その他の情報の優先度は特別に限定されない。
【００６０】
この場合、上記ステップＳ１０５で個人情報読出部１０９は、優先度記憶部１１７に記憶される優先度に従って、モード記憶部１０５から読出された第１モードで入力された個人情報を特定するＩＤに基づき、対応する個人情報のうち優先度の高いものから所定の優先度のものまで読込む。上記所定の優先度は、予め設定されていてもよいし、管理者や操作者等の使用者によって設定されてもよい。より好ましくは、個人情報読出部１０９は、ステップＳ１０１で選択された起動させる第２モードに応じて設定された優先度に従って、モード記憶部１０５から読出されたＩＤで特定される個人情報のうち、優先度の高いものから所定の優先度のものまで読出す。
【００６１】
変形例に係る脈波検出装置が上述の処理を行なうことで、切替えたモードにおいて必要な個人情報が先に設定された個人情報から引継がれるため、モードを切替える場合に再度その個人情報を入力する操作が不要となる。これによって操作性を高めることができる。また、誤操作、誤入力を防止することができる。
【００６２】
さらに、上述の脈波検出装置を制御するプログラムを生体値測定プログラムとして提供することもできる。このようなプログラムは、コンピュータに付属するフレキシブルディスク、ＣＤ−ＲＯＭ（Compact Disk-Read Only Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００６３】
なお、本発明にかかるプログラムは、コンピュータのオペレーションシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００６４】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００６５】
提供されるプログラム製品は、ハードディスクなどのプログラム格納部にインストールされて実行される。なお、プログラム製品は、プログラム自体と、プログラムが記録された記録媒体とを含む。
【００６６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６７】
【図１】脈波検出装置の機能構成の具体例を示す図である。
【図２】センサユニットと固定台との接続関係の具体例を示す図である。
【図３】脈波検出装置を生体に装着した状態の具体例を示す図である。
【図４】脈波検出装置での状態遷移を説明する図である。
【図５】記憶される個人情報の具体例（Ａ）および測定値の具体例（Ｂ）を示す図である。
【図６】脈波検出装置において、モード間での個人情報の引継ぎに関する処理を実行するための機能構成の具体例を示すブロック図である。
【図７】モード間での個人情報の引継ぎに関する処理の流れを示すフローチャートである。
【図８】測定モードを起動する場合についてのフローチャートである。
【図９】ＩＤを入力する画面の具体例を示す図である。
【図１０】個人情報を入力する画面の具体例を示す図である。
【図１１】全データをリスト表示する画面の具体例を示す図である。
【図１２】個人別にデータをリスト表示する画面の具体例を示す図である。
【図１３】データの詳細を表示する画面の具体例を示す図である。
【符号の説明】
【００６８】
１  センサユニット、２  固定台、３  ＰＣユニット、４  ＵＳＢケーブル、５  通信ケーブル、６  エア管、７  固定台ユニット、８  ベルト、９  スライド、１０  ＬＥＤ部、１１  圧力センサアレイ、１２  マルチプレクサ、１３  押圧カフ、１４  加圧ポンプ、１５  負圧ポンプ、１６  切替弁、１７  制御回路、１８  通信回路、１９  Ａ／Ｄコンバータ、２０  ＣＰＵ、２１  ＲＯＭ、２２  ＲＡＭ、２３  操作部、２４  表示器、２５  通信部、２６  Ｉ／Ｆ、１０１  モード選択部、１０３  モード切替部、１０５  モード記憶部、１０７  判断部、１０９  個人情報読出部、１１１  個人情報提示部、１１３  個人情報入力部、１１５  個人情報決定部、１１７  優先度記憶部。
【図１】
2008012162.tif 000003
【図２】
2008012162.tif 000004
【図３】
2008012162.tif 000005
【図４】
2008012162.tif 000006
【図５】
2008012162.tif 000007
【図６】
2008012162.tif 000008
【図７】
2008012162.tif 000009
【図８】
2008012162.tif 000010
【図９】
2008012162.tif 000011
【図１０】
2008012162.tif 000012
【図１１】
2008012162.tif 000013
【図１２】
2008012162.tif 000014
【図１３】
2008012162.tif 000015